(57)【特許請求の範囲】
【請求項１】
噴射ノズルから液体室内の液体を噴射する液体噴射装置であって、
前記液体室内に液体を圧送する液体圧送手段と、
駆動電圧が印加されることにより、前記液体室の容積を変更する容積変更部と、
前記容積変更部に前記駆動電圧を印加する駆動電圧印加手段と、
前記液体圧送手段と、前記容積変更部と、前記駆動電圧印加手段とを制御するための制御部と、
を備え、
前記液体圧送手段は、液体の圧力変動の位相を示す位相信号を前記制御部に送信し、
前記駆動電圧印加手段は、前記位相信号に基づく前記制御部の指示に基づき、記液体室に圧送される液体の圧力変動に応じた前記駆動電圧の電圧波形を前記容積変更部に印加すること、
を特徴とする液体噴射装置。
【請求項２】
請求項１に記載の液体噴射装置であって、
前記制御部は、前記位相信号を受け取ってからの経過時間に応じて、前記駆動電圧の電圧波形に対する補正係数が予め設定されたこと、
を特徴とする液体噴射装置。
【請求項３】
請求項１または２に記載の液体噴射装置であって、
前記液体圧送手段が、ピストンの往復運動を伴うアクチュエータを含み、
前記位相信号が、前記ピストンが所定位置を通過する度に出力されること、
を特徴とする液体噴射装置。
【請求項４】
請求項１ないし３のいずれかに記載の液体噴射装置であって、
前記電圧波形が、電圧が増加する部分と、電圧が減少する部分と、を含み、
前記位相信号が、前記液体室に圧送される液体の圧力が第一の圧力であることを示すとき、
前記電圧波形のうち前記電圧が増加する部分の出力に要する時間を第一の長さとし、
前記位相信号が、前記液体室に圧送される液体の圧力が前記第一の圧力より高い第二の圧力であることを示すとき、
前記電圧が増加する部分の出力に要する時間を前記第一の長さより短い第二の長さとすること、
を特徴とする液体噴射装置。
【発明の詳細な説明】
【技術分野】
【０００１】
本発明は、加圧した液体を生体組織に向けて噴射することにより、生体組織の切開また
は切除を行う技術に関する。
【背景技術】
【０００２】
水あるいは生理食塩水などの液体を加圧して、噴射ノズルから細くしぼった状態で生体
組織などに噴射することで、組織の切開や切除などを行う技術が開発されている（特許文
献１）。この技術は、血管などの脈管構造を傷つけることなく臓器などの組織だけを切開
することが可能であり、周囲の組織に与える損傷が少ないので、患者の負担を小さくする
ことが可能である。
【０００３】
また、液体を噴射するに際して、単に噴射ノズルから連続的に噴射するのではなく、パ
ルス状の噴流を断続的に噴射することで、少ない噴射量で生体組織の切開を可能とした技
術も提案されている（特許文献２）。この技術では、噴射しようとする液体を小さな液体
室に供給した後に、液体室の容積を瞬間的に減少して液体を加圧することで、噴射ノズル
からパルス状に液体を噴射している。
【０００４】
ここで、噴射ノズルから液体を噴射するためには、液体室が液体で満たされるように、
常に必要十分な量の液体を液体室に供給しておく必要がある。また、供給した液体に気泡
が混入していると、液体を噴射するために液体室の容積を減少させても気泡が潰れてしま
うので、液体室内の液体を加圧して適切に噴射することができなくなる。このため、パル
ス状の噴流を噴射する技術では、液体室に液体を供給するためのポンプとして、気泡が発
生し易い遠心型のポンプ（例えば、ベーンポンプなど）ではなく、気泡を発生させること
なく十分な流量を確保することが可能な容積変更型のポンプ（例えば、ピストンポンプな
ど）が使用されている。
【先行技術文献】
【特許文献】
【０００５】
【特許文献１】特開２００５−１５２１２７号公報
【特許文献２】特開２００８−０８２２０２号公報
【発明の概要】
【発明が解決しようとする課題】
【０００６】
しかし、容積変更型のポンプは、液体の供給圧力に変動が生じ易いため、液体噴射装置
の操作感が損なわれ易いという問題がある。これは、液体の供給圧力が変動すると、噴射
ノズルから噴射される液体の噴射量に変動が生じるため、切開能力が変動したり、あるい
は液体を噴射した時に操作者が感じる反力が変動したりするためである。このため、液体
をパルス状に噴射する技術では、容積変更型ではありながら圧力変動ができるだけ生じな
い特殊なポンプの使用を余儀なくされていた。
【０００７】
この発明は、従来の技術が有する上述した課題を解決するためになされたものであり、
供給圧力の変動する液体が供給された場合でも、液体噴射装置の操作感が損なわれること
を回避することが可能な技術の提供を目的とする。
【課題を解決するための手段】
【０００８】
上述した課題の少なくとも一部を解決するために、本発明の液体噴射装置は次の構成を
採用した。すなわち、
噴射ノズルから液体を噴射する液体噴射装置であって、
噴射しようとする液体が供給されると共に、前記噴射ノズルが接続された液体室と、
前記液体室内に液体を圧送する液体圧送手段と、
印加された駆動電圧に応じて変形することで、前記液体室の容積を変更する容積変更部
と、
前記液体室に液体が供給された状態で、前記容積変更部に所定の電圧波形の前記駆動電
圧を印加する駆動電圧印加手段と
を備え、
前記液体圧送手段は、前記液体室に圧力変動を伴う状態で液体を圧送する手段であり、
前記駆動電圧印加手段は、前記液体室に圧送される液体の圧力変動が前記液体の噴射に
与える影響を、前記駆動電圧の電圧波形を変更することによって補償しながら、前記容積
変更部に印加する手段であることを要旨とする。
【０００９】
こうした構成を有する本発明の液体噴射装置においては、液体圧送手段を用いて液体室
に液体を圧送するとともに、容積変更部に駆動電圧を印加して液体室の容積を減少させる
ことによって、加圧した液体室内の液体を噴射ノズルから噴射する。そして、容積変更部
に駆動電圧を印加するに際しては、液体室に圧送される液体の圧力変動が液体の噴射に与
える影響を、駆動電圧の電圧波形を変更することによって補償する。
【００１０】
詳細には後述するが、液体室に圧送される液体の圧力が変動すると、噴射ノズルから噴
射される液体の勢いが変動する。一方、容積変更部に印加する駆動電圧の電圧波形を変更
することによっても、噴射ノズルから噴射される液体の勢いが変動する。このことから、
液体室に圧送される液体の圧力変動による影響を打ち消すように、駆動電圧の電圧波形を
変更してやれば、たとえ液体室に圧送される液体の圧力が変動した場合でも、液体噴射装
置の操作感に悪影響が現れることを抑制することが可能となる。
【００１１】
また、上述した本発明の液体噴射装置においては、液体室に圧送される液体の圧力を検
出して、検出した液体の圧力に応じて、駆動電圧の電圧波形を変更した後、容積変更部に
印加するようにしてもよい。
【００１２】
こうすれば、液体室に圧送される液体の圧力に応じて、容積変更部に印加する駆動電圧
の電圧波形を、適切に変更することができる。その結果、液体室に圧送される液体の圧力
変動によって、液体噴射装置の操作感が損なわれることを確実に抑制することが可能とな
る。
【００１３】
また、上述した本発明の液体噴射装置においては、液体室に圧送される液体の圧力が低
くなるほど、駆動電圧の最大電位差が大きくなるように電圧波形を変更して、容積変更部
に印加することとしてもよい。
【００１４】
駆動電圧の最大電位差が大きくなるように電圧波形を変更すれば、液体室内の液体の圧
力を高めることができるので、液体室内に圧送される液体の圧力低下を補うことができる
。その結果、たとえ、液体室に圧送される液体の圧力が低下した場合でも、液体噴射装置
の操作感が損なわれることを抑制することが可能となる。
【００１５】
尚、液体室に圧送される液体の圧力が増加する場合には、圧力が高くなるほど、駆動電
圧の最大電位差が小さくなるように電圧波形を変更して、容積変更部に印加すればよい。
こうすれば、液体室の容積変更による液体室内の圧力増加を抑制することができるので、
液体室内に圧送される液体の圧力増加を補うことができる。その結果、たとえ、液体室に
圧送される液体の圧力が増加した場合でも、液体噴射装置の操作感が損なわれることを抑
制することが可能となる。
【００１６】
また、上述した本発明の液体噴射装置においては、液体室に圧送される液体の圧力が低
くなるほど、駆動電圧の電圧上昇速度が増加するように電圧波形を変形して、容積変更部
に印加することとしてもよい。
【００１７】
駆動電圧の電圧上昇速度が増加するように電圧波形を変更すれば、液体室内の液体の圧
力を高めることができるので、液体室内に圧送される液体の圧力低下を補うことができる
。その結果、たとえ、液体室内に圧送される液体の圧力が低下した場合でも、液体噴射装
置の操作感が損なわれることを抑制することが可能となる。
【００１８】
尚、液体室に圧送される液体の圧力が増加する場合には、圧力が高くなるほど、駆動電
圧の電圧上昇速度が減少するように電圧波形を変更して、容積変更部に印加すればよい。
こうすれば、液体室の容積変更による液体室内の圧力増加を抑制することができるので、
液体室内に圧送される液体の圧力増加を補うことができる。その結果、たとえ、液体室に
圧送される液体の圧力が増加した場合でも、液体噴射装置の操作感が損なわれることを抑
制することが可能となる。
【図面の簡単な説明】
【００１９】
【図１】第１実施例の液体噴射装置の大まかな構成を示した説明図である。
【図２】噴射ユニットの詳細な構造を示した説明図である。
【図３】第１実施例の噴射ユニットが液体を噴射する動作を示した説明図である。
【図４】アクチュエーターに駆動電圧が印加されることにより、液体室内の液体が加圧される様子を概念的に示した説明図である。
【図５】供給ポンプから圧力変動を含む液体が供給される場合に生じる現象を概念的に示した説明図である。
【図６】第１実施例の液体噴射装置がアクチュエーターに印加する駆動電圧波形を変更する様子を示した説明図である。
【図７】第１実施例の液体噴射装置が駆動電圧波形に補正係数を乗算することで、供給される液体の圧力変動に起因する操作感の悪化を回避する様子を示した説明図である。
【図８】第１実施例の変形例の液体噴射装置が駆動電圧波形を変形する様子を示した説明図である。
【図９】第２実施例の液体噴射装置の大まかな構成を示した説明図である。
【発明を実施するための形態】
【００２０】
以下では、上述した本願発明の内容を明確にするために、次のような順序に従って実施
例を説明する。
Ａ．第１実施例：
Ａ−１．装置構成：
Ａ−２．液体の噴射動作：
Ａ−３．アクチュエーターの駆動方法：
Ａ−４．第１実施例の変形例：
Ｂ．第２実施例：
【００２１】
Ａ．第１実施例  ：
Ａ−１．装置構成  ：
図１は、第１実施例の液体噴射装置１０の大まかな構成を示した説明図である。図示さ
れているように第１実施例の液体噴射装置１０は、大きく分けると、パルス状に液体を噴
射する噴射ユニット１００と、噴射ユニット１００から噴射される液体を噴射ユニット１
００に向けて供給する供給ポンプ３００と、噴射ユニット１００および供給ポンプ３００
の動作を制御する制御ユニット２００などから構成されている。
【００２２】
噴射ユニット１００は、金属製で略長方形形状の前ブロック１０６に、同じく金属製の
後ブロック１０８を重ねてネジ止めしたような構造となっており、前ブロック１０６の前
面には円管形状の液体通路管１０４が立設され、液体通路管１０４の先端には噴射ノズル
１０２が挿着されている。前ブロック１０６と後ブロック１０８との合わせ面には、薄い
円板形状の液体室１１０が設けられており、液体室１１０は、液体通路管１０４を介して
噴射ノズル１０２に接続されている。また、後ブロック１０８の内部には、積層型圧電素
子によって構成されたアクチュエーター１１２が設けられており、アクチュエーター１１
２を駆動することによって、液体室１１０を変形させて、液体室１１０の容積を変化させ
ることが可能となっている。
【００２３】
供給ポンプ３００は、噴射しようとする液体（水、生理食塩水、薬液など）が貯められ
た液体タンク３０６から、チューブ３０２を介して液体を吸い上げた後、チューブ３０４
を介して噴射ユニット１００の液体室１１０内に供給する。供給ポンプ３００には、噴射
ユニット１００の要求に応じて必要十分な分量の液体を供給可能であるとともに、液体中
に気泡を混入させないこととが求められている。このため、水車状の部材（ベーンあるい
はインペラーと呼ばれる）をケース内部で回転させることで液体を圧送する遠心型のポン
プではなく、容積を増減可能な液体室内に液体を吸い込んだ後、その液体室の容積を減少
させることで液体を圧送する容積変更型のポンプ（ピストンポンプや、ダイアフラムポン
プなど）が用いられる。
【００２４】
第１実施例の液体噴射装置１０で用いられている供給ポンプ３００は、シリンダー内で
２つのピストンを摺動させることによって液体室内の液体を圧送するピストンポンプであ
るものとする。２つのピストンは、一方が前進している時は他方が後退するといったよう
に、互いに逆位相で摺動するようになっているため、途切れることなく噴射ユニット１０
０に向かって液体を圧送することが可能である。もっとも、２つのピストンを逆位相で摺
動させるだけでは、液体を圧送する圧力までは均一にすることができず、従って、噴射ユ
ニット１００には圧力変動を伴った状態で、液体が供給されている。
【００２５】
制御ユニット２００は、噴射ユニット１００に内蔵されたアクチュエーター１１２や、
供給ポンプ３００を制御することにより、液体噴射装置１０の動作を制御している。また
、上述したように、第１実施例の液体噴射装置１０では、供給ポンプ３００から噴射ユニ
ット１００に圧力変動を伴った液体が供給されている。このことと対応して、制御ユニッ
ト２００には、供給ポンプ３００から位相信号が入力されている。位相信号とは、供給ポ
ンプ３００内で摺動する一方のピストンが所定位置を通過する度に出力される信号である
。噴射ユニット１００に供給される液体の圧力変動は、ピストンが往復動することによっ
て発生しているから、ピストンが所定位置を通過する度に出力される位相信号に基づいて
、噴射ユニット１００に供給される液体の圧力変動の位相を知ることが可能である。詳細
には後述するが、第１実施例の液体噴射装置１０では、噴射ユニット１００に内蔵された
アクチュエーター１１２の駆動態様を位相信号に基づいて変更しているために、たとえ噴
射ユニット１００に供給される液体に圧力変動が含まれていた場合でも、液体噴射装置１
０の操作感が損なわれないようになっている。
【００２６】
図２は、噴射ユニット１００の詳細な構造を示した説明図である。図２（ａ）には、噴
射ユニット１００の断面を取った分解組立図が示されており、図２（ｂ）には、組み立て
後の断面図が示されている。後ブロック１０８には、前ブロック１０６と合わさる面のほ
ぼ中央に、大きな円形の浅い凹部１０８ｃが形成されており、凹部１０８ｃの中央位置に
は、後ブロック１０８を貫通して円形断面の貫通穴１０８ｈが形成されている。
【００２７】
凹部１０８ｃの底部には、貫通穴１０８ｈを塞ぐような状態で金属製の薄いダイアフラ
ム１１４が設けられ、ダイアフラム１１４の周縁部は、ロウ付けあるいは拡散接合などの
手法によって、凹部１０８ｃの底部に対して気密に固着されている。更に、ダイアフラム
１１４の上からは、円環形状をした金属製の補強板１２０が、凹部１０８ｃに緩く嵌め込
まれるようになっている。そして、補強板１２０の板厚は、ダイアフラム１１４の上から
補強板１２０を嵌めた時に、凹部１０８ｃが形成された後ブロック１０８の端面と、補強
板１２０の端面とが面位置となるような厚さに設定されている。
【００２８】
ダイアフラム１１４によって一端側が塞がれた貫通穴１０８ｈには、アクチュエーター
１１２（第１実施例では積層型圧電素子）が収容され、アクチュエーター１１２の後側で
は、円板形状で金属製の底板１１８によって貫通穴１０８ｈが塞がれている。また、アク
チュエーター１１２とダイアフラム１１４との間には、円形で金属製のシム１１６が収納
される。そして、後ブロック１０８の貫通穴１０８ｈにアクチュエーター１１２を収納し
て、底板１１８で貫通穴１０８ｈを塞いだ時に、ダイアフラム１１４と、シム１１６と、
アクチュエーター１１２と、底板１１８とがちょうど接した状態となるように、シム１１
６の厚さが選択されている。
【００２９】
前ブロック１０６には、後ブロック１０８と合わさる側の面に、円形の浅い凹部１０６
ｃが形成されている。この凹部１０６ｃの内径は、後ブロック１０８に嵌め込まれた補強
板１２０の内径とほぼ同じ大きさに設定されている。そして、前ブロック１０６と後ブロ
ック１０８とを合わせてネジ止めした時に、後ブロック１０８側に設けられたダイアフラ
ム１１４および補強板１２０の内周面と、前ブロック１０６に設けられた凹部１０６ｃと
によって、略円板形状の液体室１１０が形成されるようになっている。
【００３０】
また、前ブロック１０６には、前ブロック１０６の側方から液体室１１０に液体を供給
するための供給通路１０６ｉが設けられている。更に、凹部１０６ｃの中央位置には、液
体室１１０で加圧された液体が通過する細径の噴射通路１０６ｏが貫通している。この噴
射通路１０６ｏが開口する部分には、液体通路管１０４が内径部分で挿着されている。そ
して、その液体通路管１０４の先端には噴射ノズル１０２が挿着されている。従って、液
体室１１０から噴射される液体の通路は、噴射通路１０６ｏを通って液体通路管１０４に
出ると通路断面積が広くなり、液体通路管１０４の先端の噴射ノズル１０２の部分で再び
断面積が狭くなるようになっている。
【００３１】
図２（ｂ）には、噴射ユニット１００を組み立てた状態での断面図が示されている。図
示されているように、補強板１２０の端面は後ブロック１０８の端面とちょうど面位置に
なっており、この面に前ブロック１０６を合わせることで、前ブロック１０６と後ブロッ
ク１０８との間に液体室１１０が形成されている。また、後ブロック１０８の貫通穴１０
８ｈに、シム１１６およびアクチュエーター１１２を収納して底板１１８を取り付けると
、ダイアフラム１１４と、シム１１６と、アクチュエーター１１２と、底板１１８とがち
ょうど接する状態となっている。
【００３２】
Ａ−２．液体の噴射動作  ：
図３は、第１実施例の噴射ユニット１００が液体を噴射する動作を示した説明図である
。図３（ａ）は、供給ポンプ３００を駆動しているが、アクチュエーター１１２は駆動し
ていない状態（駆動電圧を印加する前の状態）を表している。この状態では、図中に太い
破線の矢印で示されるように、供給ポンプ３００によって供給された液体で液体室１１０
が満たされる。図中では、液体室１１０に斜線を付すことによって、液体室１１０が液体
で満たされていることを表している。
【００３３】
続いて、駆動電圧を印加することにより、アクチュエーター１１２を駆動する。すると
、アクチュエーター１１２は伸長する方向に変形し、ダイアフラム１１４を変形させて、
液体室１１０の容積を減少させようとする。その結果、液体室１１０の液体が加圧されて
、噴射通路１０６ｏおよび液体通路管１０４を介して、噴射ノズル１０２から噴射される
。このとき噴射される液体の体積は、アクチュエーター１１２の変形によって生じた液体
室１１０の容積減少分とほぼ等しくなる。
【００３４】
尚、液体室１１０には、噴射通路１０６ｏだけでなく、供給通路１０６ｉも接続されて
いる。従って、液体室１１０で加圧された液体は、噴射通路１０６ｏからだけでなく、供
給通路１０６ｉからも流出しようとするものと考えられる。しかし実際には、液体室１１
０で加圧された液体は、専ら噴射通路１０６ｏから流出し、供給通路１０６ｉから流出す
ることはない。これは、次のような理由による。先ず、供給通路１０６ｉ内の液体は液体
室１１０内に流入しようとしているので、液体室１１０で加圧された液体が供給通路１０
６ｉから流出するためには、供給通路１０６ｉ内の液体の流れを押し戻す必要がある。加
えて、供給通路１０６ｉ内の液体は、後方から供給ポンプ３００によって圧送されている
ので、この圧力にも打ち勝つ必要がある。これに対して、噴射通路１０６ｏでは、液体室
１１０からの流出を妨げるような液体の流れは存在せず、しかも供給ポンプ３００が液体
を圧送する圧力も、液体室１１０からの流出を妨げる方向には作用しない。このため、液
体室１１０で加圧された液体は、供給通路１０６ｉではなく、専ら噴射通路１０６ｏから
流出する。加えて、噴射通路１０６ｏと供給通路１０６ｉの断面積や長さを調整すること
で、噴射通路１０６ｏよりも供給通路１０６ｉのイナータンスを大きくして、液体室１１
０で加圧された液体が噴射通路１０６ｏから流出し易くなる方向に作用させることができ
る。例えば、噴射通路１０６ｏを出た部分で液体の通路の断面積（すなわち、液体通路管
１０４の断面積）を供給流路１０６ｉの断面積よりも大きく形成したり、噴射通路１０６
ｏの長さを供給通路１０６ｉの長さよりも短く形成したりすることによって、噴射通路１
０６ｏよりも供給流路１０６ｉのイナータンスを大きくすることができる。これらの理由
から、液体室１１０で加圧された液体は、専ら噴射通路１０６ｏから流出し、供給通路１
０６ｉから流出することはない。
【００３５】
図３（ｂ）には、アクチュエーター１１２に駆動電圧を印加することで、アクチュエー
ター１１２が変形して、液体室１１０の容積を減少させる結果、押し出された分の液体が
噴射ノズル１０２からパルス状に噴射される様子が示されている。
【００３６】
こうしてパルス状の液体を噴射したら、アクチュエーター１１２に印加した電圧を取り
除く。すると、変形していたアクチュエーター１１２が元の長さに復元し、それに伴って
減少していた液体室１１０の容積が元の容積に復元する。その動きと共に、供給ポンプ３
００から液体室１１０に液体が供給される結果、図３（ａ）に示したアクチュエーター１
１２を駆動する前の状態に復帰する。そして、この状態から再びアクチュエーター１１２
に駆動電圧を印加すると、図３（ｂ）に示したようにアクチュエーター１１２が変形して
、液体室１１０から押し出された分の液体が、噴射ノズル１０２からパルス状に噴射され
る。このように、第１実施例の液体噴射装置１０では、アクチュエーター１１２に駆動電
圧を印加する度に、噴射ノズル１０２からパルス状の液体を噴射することが可能となって
いる。
【００３７】
図４は、アクチュエーター１１２に駆動電圧が印加されることにより、液体室１１０内
の液体が加圧される様子を概念的に示した説明図である。尚、図４は、アクチュエーター
１１２による加減圧分のみであるため、供給ポンプ３００から液体室１１０に液体が供給
される際の圧力は含まれていない。図の上段には、アクチュエーター１１２に印加される
駆動電圧波形が示されており、図の下段には、アクチュエーター１１２によって液体室１
１０が変形することで、液体室１１０内の圧力が変化する様子が概念的に示されている。
第１実施例では、アクチュエーター１１２に印加される電圧が上昇すると、アクチュエー
ター１１２が伸びる方向に変形して液体室１１０の容積が減少し、逆に、印加される電圧
が低下すると、液体室１１０の容積が増加するようになっている。
【００３８】
図４中に示した駆動電圧波形では、実線で示した部分では液体室１１０が圧縮され、破
線で示した部分では液体室１１０が拡大されている。そして、液体室１１０が圧縮される
部分（駆動電圧波形が実線で示された部分）では、液体室１１０内の液体が加圧され、そ
の結果、噴射ノズル１０２から液体が噴出することになる。その後、液体室１１０の容積
が元に戻る部分（駆動電圧波形が破線で示された部分）では、液体室１１０の圧力が低下
し、その結果、供給通路１０６ｉから液体室１１０内に液体が供給される。ここで、供給
ポンプ３００から供給される液体の圧力が変動していると、以下のような事態が発生する
。
【００３９】
図５は、供給ポンプ３００が噴射ユニット１００に向かって供給する液体に圧力変動が
含まれていた場合に生じる現象を概念的に示した説明図である。例えば、供給ポンプ３０
０の出口部分での液体圧力が、図５（ａ）に示したように周期Ｔ１で変動していたものと
する。この圧力変動は、供給ポンプ３００と噴射ユニット１００との間を接続するチュー
ブ３０４の部分で、若干の時間遅れＤが発生すると共に、圧力振幅も僅かに減少する結果
、図５（ｂ）のように圧力が変動した状態で、噴射ユニット１００の液体室１１０に供給
される。従って、アクチュエーター１１２を駆動しない状態では、液体室１１０内の圧力
は、図５（ｂ）に示すような状態で変動することになる。
【００４０】
この状態から、図４に示した駆動電圧波形を用いてアクチュエーター１１２を駆動する
。すると、アクチュエーター１１２によって液体室１１０が圧縮あるいは拡大する動きに
応じて、液体室１１０内の圧力が増加あるいは減少する。その結果、例えば、周期Ｔ２の
駆動電圧波形をアクチュエーター１１２に印加すると、液体室１１０内の圧力は、図５（
ｃ）に示したように、周期Ｔ１で変化する長周期の変動に、周期Ｔ２で変化する短周期の
変動が重畳したような状態で変動することになる。
【００４１】
図５（ｃ）に示すような状態で液体室１１０内の圧力が変動すると、以下のように液体
噴射装置１０の操作感が損なわれてしまう。先ず、噴射ノズル１０２からは、周期Ｔ２の
間隔でパルス状に液体が噴射されるが、パルス毎に、液体が噴射される勢いが変動する。
このため、生物組織の切開能力も変動し、その結果、組織を切り過ぎてしまったり、逆に
切り方が足らなかったりする事態が発生する。また、噴射ノズル１０２の外側は大気圧で
一定であるから、液体室１１０内の圧力が変動すると、それに伴って噴射ノズル１０２か
ら噴射される液体の流量も変動する。そして、噴射流量の変動も、切開能力の変動を引き
起こす。
【００４２】
加えて、噴射ノズル１０２から液体を噴射すると、その反力が噴射ユニット１００に伝
わることから、噴射ノズル１０２から噴射する液体の勢いが変動すると、噴射ユニット１
００を保持しておくために要する力も変動し、その結果、液体噴射装置１０の操作者が噴
射ユニット１００を同じ位置で保持しておくことが困難となる。以上のような理由から、
供給ポンプ３００の圧送圧力が変動すると液体噴射装置１０の操作感が損なわれてしまう
。そこで、第１実施例の液体噴射装置１０では、供給ポンプ３００から供給される液体の
圧力に応じて、アクチュエーター１１２に印加する駆動電圧波形を変更することで、たと
え供給ポンプ３００からの液体に圧力変動が存在する場合でも、液体噴射装置１０の操作
感が損なわれることを回避可能としている。
【００４３】
Ａ−３．アクチュエーターの駆動方法  ：
図６は、第１実施例の液体噴射装置１０がアクチュエーター１１２に印加する駆動電圧
波形を変更する様子を示した説明図である。第１実施例では、標準として記憶されている
駆動電圧波形に補正係数を乗算することによって、アクチュエーター１１２に印加する駆
動電圧波形を変更する。例えば、図６の上段に示した駆動電圧波形のうち、左端に示した
駆動電圧波形は補正係数「１」を乗算した波形（すなわち、標準の駆動電圧波形）であり
、中央に示した駆動電圧波形は補正係数「１．２」を乗算した波形であり、右端に示した
波形は補正係数「１．４」を乗算した駆動電圧波形である。
【００４４】
また、図６の下段には、それぞれの駆動電圧波形によって液体室１１０内の圧力が変動
する様子が示されている。図示されているように、補正係数が大きくなるほど（駆動電圧
波形の最大電圧が大きくなるほど）、液体室１１０内に発生する圧力のピーク値も大きく
なる。逆に、補正係数が小さくなると、液体室１１０内に発生する圧力のピーク値も小さ
くなる。第１実施例の液体噴射装置１０では、このように、アクチュエーター１１２に印
加する駆動電圧波形に補正係数を乗算することで、供給ポンプ３００からの液体の圧力変
動に起因して液体噴射装置１０の操作感が損なわれることを回避している。
【００４５】
図７は、第１実施例の液体噴射装置１０が、駆動電圧波形に補正係数を乗算することで
、供給ポンプ３００からの液体供給圧力の変動による操作感の悪化を回避する様子を示し
た説明図である。例えば、供給ポンプ３００が液体を圧送する際の圧力が、図７（ａ）に
示すように変動していた場合、標準の（補正係数を乗算しない）駆動電圧波形を用いてア
クチュエーター１１２を駆動すると、液体室１１０内の圧力は、図７（ｂ）に示すように
変動する。その結果、図５を用いて前述したように、液体噴射装置１０の操作感が損なわ
れることになる。
【００４６】
そこで、液体室１１０に供給される液体の圧力が低下している部分では、駆動電圧波形
に「１」よりも大きな補正係数を乗算した後、アクチュエーター１１２に印加することで
、図７（ｃ）に示されるように、液体室１１０内の圧力のピーク値がほぼ同じ値となるよ
うにする。図５を用いて前述したように、液体室１１０に供給される液体の圧力変動は、
供給ポンプ３００が圧送する液体の圧力変動に対して、位相の遅れや、振幅の減衰などが
生じているが、これらは、供給ポンプ３００と噴射ユニット１００とを接続するチューブ
３０４の長さやチューブ３０４の剛性などによってほぼ決まるので、予め調べておくこと
ができる。また、供給ポンプ３００から位相信号が出力された後、供給ポンプ３００が液
体を圧送する圧力がどのように変化するかも、予め調べておくことができる。従って、位
相信号を受け取った時点からの経過時間に応じて、適切な補正係数を予め設定しておくこ
とで、図７（ｃ）に示されるように、液体室１１０内の圧力のピーク値がほぼ同じ値とな
るようにすることができる。
【００４７】
尚、図５では、チューブ３０４で発生する時間遅れＤの大きさを誇張して表示している
が、実際の時間遅れＤはそれほど大きいものではない。従って、簡便には、時間遅れＤの
影響は無視して、チューブ３０４による圧力変動の減衰のみを考慮して、補正係数を設定
しておいても良い。また、図７（ｃ）では、一定の周期でパルス状に液体が噴射されてい
るものとしているが、以上の説明から明らかなように、一定の周期で液体を噴射する場合
に限らず、任意のタイミングで液体を噴射する場合でも、それぞれのパルスのピーク値を
ほぼ同じ圧力にすることが可能である。
【００４８】
こうして、駆動電圧波形に補正係数を乗算することで、噴射ノズル１０２から噴射され
る液体の勢いをほぼ同じにしておけば、液体噴射装置１０の切開能力をほぼ一定に保つこ
とができる。また、毎回のパルスで噴射される液体の流量もほぼ一定に保っておくことも
できる。更に、噴射ノズル１０２から液体を噴射した時に噴射ユニット１００が受ける反
力も、ほぼ一定に保っておくことができる。このため、たとえ、供給ポンプ３００から圧
送される液体の圧力が変動していても、液体噴射装置１０の操作感が損なわれてしまうこ
とを回避することが可能となる。尚、本実施例の波形は一例であって、矩形波や三角波な
ど、他の波形に変更することが可能である。
【００４９】
Ａ−４．第１実施例の変形例  ：
上述した第１実施例では、アクチュエーター１１２に印加する駆動電圧波形に補正係数
を乗算して、駆動電圧波形の相似形状を保ったまま変形（すなわち拡大あるいは縮小）す
ることによって、供給ポンプ３００からの圧力変動の影響を補償するものとして説明した
。しかし、駆動電圧波形を非相似な形状に変形することによって、供給ポンプ３００から
の圧力変動の影響を補償するようにしても良い。以下では、このような第１実施例の変形
例について説明する。
【００５０】
第１実施例の変形例では、アクチュエーター１１２に印加する駆動電圧波形を、電圧値
が増加する部分（電圧増加部分）と、電圧値が減少する部分（電圧減少部分）とに分けて
記憶する。そして、電圧増加部分の出力に要する時間を変更することによって、アクチュ
エーター１１２に印加する駆動電圧波形を変形する。例えば、標準として記憶されている
駆動電圧波形は、時間ｔａかけて電圧増加部分が出力され後、時間ｔｂかけて電圧減少部
分が出力される電圧波形であったとすると、電圧増加部分の出力に要する時間を短縮した
り、あるいは延長したりすることによって駆動電圧波形を変形するのである。もちろん、
電圧増加部分の時間ｔａを変更することに併せて、電圧減少部分の時間ｔｂを変更しても
良い。
【００５１】
図８は、第１実施例の変形例の液体噴射装置１０が駆動電圧波形を変形する様子を示し
た説明図である。図８の上段に示した３つの駆動電圧波形の中で、左側に示した電圧波形
は、標準として記憶されている駆動電圧波形である。また、中央に示した駆動電圧波形は
、電圧増加部の出力に要する時間を、標準の時間ｔａから時間ｔｃ（＝０．８×ｔａ）に
短縮した電圧波形である。更に、右側に示した駆動電圧波形は、電圧増加部の時間を時間
ｔｄ（＝０．６×ｔａ）に短縮した電圧波形である。
【００５２】
このように電圧増加部の出力に要する時間を短縮するに従って、アクチュエーター１１
２に印加される電圧値は急激に増加するのでアクチュエーター１１２が急激に変形し、液
体室１１０の容積を急激に減少させる。その結果、液体室１１０内の液体に加わる圧力の
ピーク値が大きくなる。図８の下段には、駆動電圧波形の電圧増加部の時間が短くなるに
つれて、液体室１１０内の圧力のピーク値が増加する様子が示されている。尚、図８では
、電圧増加部の出力に要する時間を短縮する場合のみが示されているが、電圧増加部の出
力に要する時間を延長した場合には、液体室１１０内の圧力のピーク値が減少することに
なる。従って、前述した第１実施例の液体噴射装置１０では、供給ポンプ３００からの位
相信号を基準として定めた補正係数を乗算することによって駆動電圧波形を変形したが、
これと同様に、第１実施例の変形例の液体噴射装置１０では、電圧増加部の出力に要する
時間を、位相信号を基準として短縮（あるいは延長）して駆動電圧波形を変形することに
よっても、供給ポンプ３００から供給される液体の圧力変動の影響で操作感が損なわれる
ことを回避することが可能となる。尚、本実施例の波形は一例であって、三角波やのこぎ
り波などの他の波形に変更することが可能である。
【００５３】
Ｂ．第２実施例  ：
上述した第１実施例の液体噴射装置１０では、供給ポンプ３００からの位相信号に基づ
いて駆動電圧波形を変形した後、その駆動電圧波形をアクチュエーター１１２に印加する
ものとして説明した。しかし、供給ポンプ３００からの位相信号を受け取る代わりに、液
体室１１０に供給される液体の圧力変動を検出して、検出した圧力に応じて駆動電圧波形
を変形することにより、圧力変動の影響を補償することとしてもよい。
【００５４】
図９は、第２実施例の液体噴射装置１０の大まかな構成を示した説明図である。尚、第
２実施例の液体噴射装置１０の構成のうち、前述した第１実施例の液体噴射装置１０と同
じ構成については同様の番号を符番することとして、詳細な説明は省略するものとする。
【００５５】
図９に示されるように、第２実施例の液体噴射装置１０では、供給ポンプ３００から制
御ユニット２００に向かって位相信号が出力されておらず、その代わりに、噴射ユニット
１００に圧力センサー１５０が設けられており、供給ポンプ３００から供給される液体の
圧力を、液体室１１０の入口付近で検出している。そして、検出された圧力が、標準の圧
力よりも低い場合には、アクチュエーター１１２の駆動電圧波形に「１」よりも大きな補
正係数を乗算し（あるいは、電圧増加部の所用時間を短縮し）、標準の圧力よりも高い場
合には「１」よりも小さな補正係数を乗算（あるいは、電圧増加部の所用時間を延長）す
る。こうすれば、検出された液体の圧力に応じて、適切な値の補正係数を乗算し、あるい
は適切な割合で電圧増加部の所要時間を短縮（または延長）することで、供給ポンプ３０
０から供給される液体の圧力変動の影響で操作感が損なわれることを回避することが可能
となる。
【００５６】
また、上述した第２実施例の液体噴射装置１０では、液体室１１０に供給される液体の
圧力が、何らかの理由で不規則に変動した場合でも、検出した圧力に応じて駆動電圧波形
を変形することで、圧力変動によって液体噴射装置１０の操作感が損なわれてしまうこと
を回避することが可能となる。
【００５７】
以上、各種実施例の液体噴射装置について説明したが、本発明は上記すべての実施例お
よび変形例に限られるものではなく、その要旨を逸脱しない範囲において種々の態様で実
施することが可能である。
【符号の説明】
【００５８】
１０…液体噴射装置、      １００…噴射ユニット、    １０２…噴射ノズル、
１０４…液体通路管、        １０６…前ブロック、    １０６ｃ…凹部、
１０６ｉ…供給通路、        １０６ｏ…噴射通路、        １０８…後ブロック、
１０８ｃ…凹部、            １０８ｈ…貫通穴、          １１０…液体室、
１１２…アクチュエーター、  １１４…ダイアフラム、    １１６…シム、
１１８…底板、              １２０…補強板、          ２００…制御ユニット、
３００…供給ポンプ、        ３０２…チューブ、        ３０４…チューブ、
３０６…液体タンク
【図１】
0005540760.tif 000002
【図２】
0005540760.tif 000003
【図３】
0005540760.tif 000004
【図４】
0005540760.tif 000005
【図５】
0005540760.tif 000006
【図６】
0005540760.tif 000007
【図７】
0005540760.tif 000008
【図８】
0005540760.tif 000009
【図９】
0005540760.tif 000010